(57)【要約】      （修正有）【課題】高い操作性および信頼性を有する外科手術器具を提供する。【解決手段】外科手術器具１は、先端部１１とグリップ部１２とを備え、先端部は、外科手術時に患者の体の内部に挿入される。グリップ部は、外科手術時に執刀医によって把持される。金属部１２Ａは、例えばステンレスなどのような剛性を有する材料によって形成されている。少なくとも先端部は貫通穴１Ａを備えており、外科手術時に、先端部は、骨に当接させられて、骨を押圧する。【選択図】図１
2019122622.tif 000002
【特許請求の範囲】
【請求項１】
先端部とグリップ部とを備える外科手術器具であって、
前記先端部は、剛性部材によって構成されており、
少なくとも前記先端部は貫通穴を備えており、
外科手術時に、前記先端部は、骨に当接させられて、前記骨を押圧する、
外科手術器具。
【請求項２】
外科手術時に、ガイドワイヤが前記貫通穴に挿入されると共に、前記ガイドワイヤによって前記先端部が前記骨に案内される、
請求項１に記載の外科手術器具。
【請求項３】
前記先端部は、湾曲部を備えている、
請求項２に記載の外科手術器具。
【請求項４】
外科手術時に、前記先端部は、患者の体の内部に挿入され、被押圧部位を前記体の内側から前記体の外側に向かって押圧する、
請求項３に記載の外科手術器具。
【請求項５】
前記グリップ部は、前記湾曲部が湾曲する向きを示す識別部を備える、
請求項３または請求項４に記載の外科手術器具。
【請求項６】
先端部とグリップ部とを備える外科手術器具であって、
前記先端部は、剛性部材によって構成されており、かつ、湾曲部を備えており、
外科手術時に、前記先端部は、脊柱に当接させられて、前記脊柱を押圧する、
外科手術器具。
【請求項７】
外科手術時に、前記先端部は、椎体の内部に挿入され、前記椎体の被押圧部位を前記椎体の内側から前記椎体の外側に向かって押圧する、
請求項６に記載の外科手術器具。
【請求項８】
前記湾曲部は、先細り形状の円錐状部を備えており、
前記円錐状部が、前記湾曲部の最先端に配置されている、
請求項６または請求項７に記載の外科手術器具。
【請求項９】
前記円錐状部の最先端部には、面取り加工が施されている、
請求項８に記載の外科手術器具。
【請求項１０】
前記グリップ部は、前記湾曲部が湾曲する向きを示す識別部を備える、
請求項６から請求項９のいずれか一項に記載の外科手術器具。
【発明の詳細な説明】
【技術分野】
【０００１】
本発明は、外科手術器具に関する。
【背景技術】
【０００２】
従来から、先端部とグリップ部とを備える医療器具（外科手術器具）が知られている（例えば、特許文献１参照）。特許文献１に記載された医療器具には、貫通穴が形成されている。また、特許文献１には、先端部が湾曲している例が記載されている。
【先行技術文献】
【特許文献】
【０００３】
【特許文献１】特開２０１７−１９６５３９号公報
【発明の概要】
【発明が解決しようとする課題】
【０００４】
ところで、特許文献１に記載された医療器具は、脊椎圧迫骨折治療に用いられる。また、特許文献１に記載された医療器具では、貫通穴が、椎体内にセメントを注入するための注入経路として用いられる。詳細には、特許文献１に記載された医療器具では、椎体内の所望の位置にセメントを注入できるようにするために、先端部が関節動作可能に構成されている。その結果、特許文献１に記載された医療器具では、先端部の構成が複雑になり、先端部の操作性が低下してしまう（つまり、先端部の操作が煩雑になってしまう）。また、先端部の信頼性が低下してしまう（つまり、先端部が故障しやすくなってしまう）。
すなわち、従来においては、脊椎圧迫骨折治療に用いられる多数の医療器具が提案されているものの、例えば交通事故などによって損傷した骨を整復するための高い操作性および信頼性を有する外科手術器具が存在しなかった。
【０００５】
前記問題点に鑑み、本発明は、高い操作性および信頼性を有する外科手術器具を提供することを目的とする。
【課題を解決するための手段】
【０００６】
本発明の一実施形態は、先端部とグリップ部とを備える外科手術器具であって、前記先端部は、剛性部材によって構成されており、少なくとも前記先端部は貫通穴を備えており、外科手術時に、前記先端部は、骨に当接させられて、前記骨を押圧する、外科手術器具である。
【０００７】
本発明の一実施形態の外科手術器具では、外科手術時に、ガイドワイヤが前記貫通穴に挿入されると共に、前記ガイドワイヤによって前記先端部が前記骨に案内されてもよい。
【０００８】
本発明の一実施形態の外科手術器具では、前記先端部は、湾曲部を備えていてもよい。
【０００９】
本発明の一実施形態の外科手術器具では、外科手術時に、前記先端部は、患者の体の内部に挿入され、被押圧部位を前記体の内側から前記体の外側に向かって押圧してもよい。
【００１０】
本発明の一実施形態の外科手術器具では、前記グリップ部は、前記湾曲部が湾曲する向きを示す識別部を備えてもよい。
【００１１】
本発明の一実施形態は、先端部とグリップ部とを備える外科手術器具であって、前記先端部は、剛性部材によって構成されており、かつ、湾曲部を備えており、外科手術時に、前記先端部は、脊柱に当接させられて、前記脊柱を押圧する、外科手術器具である。
【００１２】
本発明の一実施形態の外科手術器具では、外科手術時に、前記先端部は、椎体の内部に挿入され、前記椎体の被押圧部位を前記椎体の内側から前記椎体の外側に向かって押圧してもよい。
【００１３】
本発明の一実施形態の外科手術器具では、前記湾曲部は、先細り形状の円錐状部を備えており、前記円錐状部が、前記湾曲部の最先端に配置されていてもよい。
【００１４】
本発明の一実施形態の外科手術器具では、前記円錐状部の最先端部には、面取り加工が施されていてもよい。
【００１５】
本発明の一実施形態の外科手術器具では、前記グリップ部は、前記湾曲部が湾曲する向きを示す識別部を備えてもよい。
【発明の効果】
【００１６】
この発明によれば、高い操作性および信頼性を有する外科手術器具を提供することができる。
【図面の簡単な説明】
【００１７】
【図１】第１実施形態の外科手術器具の構成の一例を示す断面図である。
【図２】図１の左上側から貫通穴の中心軸線に沿って第１実施形態の外科手術器具を見た拡大図である。
【図３】図１の右側から貫通穴の中心軸線に沿って第１実施形態の外科手術器具を見た拡大図である。
【図４】外科手術時における第１実施形態の外科手術器具の適用例を示す図である。
【図５】第２実施形態の外科手術器具の構成の一例を示す断面図である。
【図６】図５の左上側から湾曲部の中心軸線に沿って第２実施形態の外科手術器具を見た拡大図である。
【図７】図５の右側から直線部の中心軸線に沿って第２実施形態の外科手術器具を見た拡大図である。
【図８】外科手術時における第２実施形態の外科手術器具の適用例を示す図である。
【発明を実施するための形態】
【００１８】
以下、図面を参照し、本発明の外科手術器具の実施形態について説明する。
【００１９】
［第１実施形態］
図１は第１実施形態の外科手術器具１の構成の一例を示す断面図である。
図１に示す例では、外科手術器具１が、先端部１１と、グリップ部１２とを備えている。先端部１１は、外科手術時に患者の体の内部に挿入される。グリップ部１２は、外科手術時に執刀医によって把持される。グリップ部１２は、金属部１２Ａと樹脂部１２Ｂとを備えている。金属部１２Ａは、例えばステンレスなどのような剛性を有する材料によって形成されている。樹脂部１２Ｂは、外科手術時に執刀医が把持しやすい樹脂材料によって形成されている。
金属部１２Ａおよび先端部１１は、一部材によって構成されている。つまり、先端部１１は、金属部１２Ａと同様に、剛性を有する材料（つまり、可撓性を有さない材料）によって形成されている。また、金属部１２Ａおよび先端部１１は、貫通穴１Ａを備えている。貫通穴１Ａには、外科手術時に用いられる公知のガイドワイヤ（図示せず）が挿入される。
【００２０】
図２は図１の左上側から貫通穴１Ａの中心軸線に沿って第１実施形態の外科手術器具１を見た拡大図である。図３は図１の右側から貫通穴１Ａの中心軸線に沿って第１実施形態の外科手術器具１を見た拡大図である。
図１〜図３に示す例では、先端部１１が、湾曲部１１Ａと、直線部１１Ｂとを備えている。直線部１１Ｂの中心軸線は、直線状に延びている。湾曲部１１Ａの中心軸線は、円弧状に延びている。貫通穴１Ａは、湾曲部１１Ａおよび直線部１１Ｂの中心軸線に沿って形成されている。湾曲部１１Ａは、面取り加工が施された面取り加工部１１Ａ３を備えている。
グリップ部１２は、湾曲部１１Ａが湾曲する向き（図１の上側）を示す識別部１２Ｃ１を備えている。識別部１２Ｃ１は、例えば赤色のような第１色に着色されている。また、グリップ部１２は、湾曲部１１Ａが湾曲する向きの反対側の向き（図１の下側）を示す識別部１２Ｃ２を備えている。識別部１２Ｃ２は、例えば青色のような第１色とは異なる第２色に着色されている。
図１〜図３に示す例では、外科手術器具１の全長Ｍ０が、例えば３００ｍｍである。湾曲部１１Ａおよび直線部１１Ｂの直径Ｍ１は、例えば４〜５ｍｍである。湾曲部１１Ａの長さ（弧長）Ｍ２は、例えば２０ｍｍである。湾曲部１１Ａの反り量Ｍ３は、例えば３〜５ｍｍである。貫通穴１Ａの直径Ｍ４は、例えば２ｍｍである。
【００２１】
図４は外科手術時における第１実施形態の外科手術器具１の適用例を示す図である。
図４に示す例では、外科手術器具１が、例えば交通事故などによって骨折した脊柱Ｓを整復するために用いられる。詳細には、例えば図４に破線で示すように凹状に変形してしまった椎体Ｖを凸状に戻すために用いられる。
外科手術時には、まず、ガイドワイヤ（図示せず）が、例えば椎弓根に刺入される。次いで、ガイドワイヤにより案内されたドリル（図示せず）によって、椎体Ｖの内部に先端部１１を挿入するための穴Ｓ１が、脊柱Ｓに形成される。
次いで、そのガイドワイヤが、外科手術器具１の貫通穴１Ａに挿入され、外科手術器具１の先端部１１が、ガイドワイヤによって脊柱Ｓの穴Ｓ１に案内される。
次いで、外科手術器具１のグリップ部１２を把持する執刀医が、外科手術器具１の先端部１１を椎体Ｖの被押圧部位Ｖ１に当接させる。
次いで、執刀医は、外科手術器具１の先端部１１によって、被押圧部位Ｖ１を椎体Ｖの内側から椎体Ｖの外側（図４の左側）に向かって押圧する。その結果、例えば交通事故などによって例えば凹状に変形してしまった椎体Ｖが、凸状（図４に実線で示す正常な状態）に戻される。
図４に示す例では、第１実施形態の外科手術器具１が脊柱の外科手術に適用されるが、他の例では、第１実施形態の外科手術器具１を、例えば膝蓋骨などのような脊柱以外の骨の外科手術に適用してもよい。
【００２２】
上述したように、第１実施形態の外科手術器具１は、剛性部材によって構成された先端部１１とグリップ部１２とを備える。外科手術時には、先端部１１が、骨に当接させられ、骨を押圧する。
そのため、第１実施形態の外科手術器具１によれば、例えば特許文献１に記載された医療器具によって骨を押圧する場合よりも、操作性を向上させることができ（つまり、執刀医が外科手術器具を扱いやすくなり）、信頼性を向上させることができる（つまり、故障のおそれを低減することができる）。
【００２３】
また、第１実施形態の外科手術器具１には、貫通穴１Ａが備えられている。外科手術時には、ガイドワイヤが貫通穴１Ａに挿入されると共に、ガイドワイヤによって先端部１１が骨に案内される。
そのため、第１実施形態の外科手術器具１によれば、ガイドワイヤを用いることができない場合よりも、外科手術器具１の操作性を向上させることができる。
【００２４】
また、第１実施形態の外科手術器具１では、先端部１１が湾曲部１１Ａを備えている。また、外科手術時に、先端部１１が、患者の体の内部に挿入され、例えば、被押圧部位Ｖ１を体の内側から体の外側に向かって押圧する。
そのため、第１実施形態の外科手術器具１によれば、湾曲していない器具が用いられる場合よりも、被押圧部位Ｖ１を体の内側から体の外側に向かって押圧する操作を容易にすることができる。
【００２５】
また、第１実施形態の外科手術器具１では、グリップ部１２は、湾曲部１１Ａが湾曲する向きを示す識別部１２Ｃ１を備えている。
そのため、第１実施形態の外科手術器具１によれば、執刀医は、患者の体の内部に位置する湾曲部１１Ａが湾曲する向きを、視認できないにもかかわらず、容易に認識することができる。
【００２６】
［第２実施形態］
第２実施形態の外科手術器具１は、後述する点を除き、上述した第１実施形態の外科手術器具１と同様に構成されている。従って、第２実施形態の外科手術器具１は、後述する点を除き、上述した第１実施形態の外科手術器具１と同様の効果を奏することができる。
【００２７】
図５は、第２実施形態の外科手術器具１の構成の一例を示す断面図である。
図５に示す例では、図１に示す例と同様に、外科手術器具１が、先端部１１と、グリップ部１２とを備えている。先端部１１は、図１に示す先端部１１と同様に、外科手術時に患者の体の内部に挿入される。グリップ部１２は、図１に示すグリップ部１２と同様に構成されている。
図５に示す例では、図１に示す例と同様に、金属部１２Ａおよび先端部１１が、一部材によって構成されている。つまり、先端部１１は、金属部１２Ａと同様に、剛性を有する材料（つまり、可撓性を有さない材料）によって形成されている。
図１に示す例では、金属部１２Ａおよび先端部１１が貫通穴１Ａを備えているが、図５に示す例では、金属部１２Ａおよび先端部１１が貫通穴を備えていない。
【００２８】
図６は図５の左上側から湾曲部１１Ａの中心軸線に沿って第２実施形態の外科手術器具１を見た拡大図である。図７は図５の右側から直線部１１Ｂの中心軸線に沿って第２実施形態の外科手術器具１を見た拡大図である。
図５〜図７に示す例では、図１〜図３に示す例と同様に、先端部１１が、湾曲部１１Ａと、直線部１１Ｂとを備えている。直線部１１Ｂの中心軸線は、直線状に延びている。湾曲部１１Ａの中心軸線は、円弧状に延びている。湾曲部１１Ａは、先細り形状の円錐状部１１Ａ１と、ほぼ均一な太さを有する円筒状部１１Ａ２とを備えている。円錐状部１１Ａ１の最先端部１１Ａ１１には、面取り加工が施され、最先端部１１Ａ１１が、例えば球面状に形成されている。
図５〜図７に示す例では、図１〜図３に示す例と同様に、グリップ部１２の識別部１２Ｃ１は、湾曲部１１Ａが湾曲する向き（図５の上側）を示す。識別部１２Ｃ２は、湾曲部１１Ａが湾曲する向きの反対側の向き（図５の下側）を示す。
図５〜図７に示す例では、外科手術器具１の全長Ｍ０が、図１〜図３に示す例と同様に、例えば３００ｍｍである。湾曲部１１Ａの円筒状部１１Ａ２および直線部１１Ｂの直径Ｍ１は、例えば４〜５ｍｍである。円錐状部１１Ａ１および円筒状部１１Ａ２の合計の長さ（弧長）Ｍ２は、例えば２０ｍｍである。湾曲部１１Ａの反り量Ｍ３は、図１〜図３に示す例と同様に、例えば３〜５ｍｍである。円錐状部１１Ａ１の長さＭ５は、例えば３〜５ｍｍである。
【００２９】
図８は外科手術時における第２実施形態の外科手術器具１の適用例を示す図である。
図８に示す例では、図４に示す例と同様に、外科手術器具１が、例えば交通事故などによって骨折した脊柱Ｓを整復するために用いられる。詳細には、例えば図８に破線で示すように凹状に変形してしまった椎体Ｖを凸状に戻すために用いられる。
外科手術時には、まず、ガイドワイヤ（図示せず）が、例えば椎弓根に刺入される。次いで、ガイドワイヤにより案内されたドリル（図示せず）によって、椎体Ｖの内部に先端部１１を挿入するための穴Ｓ１が、脊柱Ｓに形成される。
次いで、そのガイドワイヤが、患者の体の内部から取り出される。
次いで、外科手術器具１のグリップ部１２を把持する執刀医が、外科手術器具１の先端部１１を、脊柱Ｓの穴Ｓ１に挿入し、椎体Ｖの被押圧部位Ｖ１に当接させる。上述したように、第２実施形態の外科手術器具１では、先細り形状の円錐状部１１Ａ１が、先端部１１の湾曲部１１Ａの最先端に配置されているため、執刀医は、先端部１１を脊柱Ｓの穴Ｓ１に容易に挿入することができる。
次いで、執刀医は、外科手術器具１の先端部１１によって、被押圧部位Ｖ１を椎体Ｖの内側から椎体Ｖの外側（図８の左側）に向かって押圧する。その結果、例えば交通事故などによって例えば凹状に変形してしまった椎体Ｖが、凸状（図８に実線で示す正常な状態）に戻される。
【００３０】
上述したように、第２実施形態の外科手術器具１は、剛性部材によって構成され、かつ、湾曲部１１Ａを有する先端部１１と、グリップ部１２とを備える。外科手術時には、先端部１１が、骨に当接させられ、骨を押圧する。
そのため、第２実施形態の外科手術器具１によれば、例えば特許文献１に記載された医療器具によって脊柱を押圧する場合よりも、操作性を向上させることができ（つまり、執刀医が外科手術器具を扱いやすくなり）、信頼性を向上させることができる（つまり、故障のおそれを低減することができる）。
【００３１】
また、第２実施形態の外科手術器具１では、外科手術時に、先端部１１が、患者の椎体Ｖの内部に挿入され、例えば、被押圧部位Ｖ１を椎体Ｖの内側から椎体Ｖの外側に向かって押圧する。
そのため、第２実施形態の外科手術器具１によれば、湾曲していない器具によって椎体Ｖの被押圧部位Ｖ１が押圧される場合よりも、被押圧部位Ｖ１を椎体Ｖの内側から椎体Ｖの外側に向かって押圧する操作を容易にすることができる。
【００３２】
また、第２実施形態の外科手術器具１では、上述したように、先細り形状の円錐状部１１Ａ１が、先端部１１の湾曲部１１Ａの最先端に配置されている。
そのため、第２実施形態の外科手術器具１によれば、執刀医が、先端部１１を脊柱Ｓの穴Ｓ１に容易に挿入することができる。
【００３３】
また、第２実施形態の外科手術器具１では、上述したように、円錐状部１１Ａ１の最先端部１１Ａ１１に、面取り加工が施されている。
そのため、第２実施形態の外科手術器具１によれば、円錐状部１１Ａ１によって脊柱Ｓなどが傷つけられるおそれを抑制することができる。
【００３４】
また、第２実施形態の外科手術器具１では、グリップ部１２は、湾曲部１１Ａが湾曲する向きを示す識別部１２Ｃ１を備えている。
そのため、第２実施形態の外科手術器具１によれば、執刀医は、椎体Ｖの内部に位置する湾曲部１１Ａが湾曲する向きを、視認できないにもかかわらず、容易に認識することができる。
【００３５】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００３６】
１…外科手術器具、１１…先端部、１１Ａ…湾曲部、１１Ａ１…円錐状部、１１Ａ１１…最先端部、１１Ａ２…円筒状部、１１Ａ３…面取り加工部、１１Ｂ…直線部、１２…グリップ部、１２Ａ…金属部、１２Ｂ…樹脂部、１２Ｃ１…識別部、１２Ｃ２…識別部、１Ａ…貫通穴、Ｓ…脊柱、Ｓ１…穴、Ｖ…椎体、Ｖ１…被押圧部位
【図１】
2019122622.tif 000003
【図２】
2019122622.tif 000004
【図３】
2019122622.tif 000005
【図４】
2019122622.tif 000006
【図５】
2019122622.tif 000007
【図６】
2019122622.tif 000008
【図７】
2019122622.tif 000009
【図８】
2019122622.tif 000010